(57)【要約】【課題】就寝時に、呼出音がなっても、安眠妨害にならないインターホンシステムを提供することを目的とする。【解決手段】住宅情報盤にタイマを設け、たとえば、２３時になったときに、スピーカに接続されている可変増幅回路のゲインを低下させるか無音にする。または、２３時以降であって、集合玄関機から呼出があったときに、スピーカに接続されている可変増幅回路のゲインを低下させるか無音にする。さらに、可変増幅回路のゲイン低下に加えて、表示手段への電源供給を行わないようにする。【選択図】図１
2010239225.tif 000002
【特許請求の範囲】
【請求項１】
集合住宅の集合玄関に設置されている集合玄関機と、各住戸に設置され、上記集合玄関機からの呼出信号を受信したときに、呼出音を出力する住宅情報盤と、上記住宅情報盤と上記集合玄関機とのインターホン通話を制御する制御装置とによって構成されているインターホンシステムにおいて、
上記住宅情報盤は、
就寝開始時刻、就寝終了時刻を設定する設定手段と；
上記呼出音を出力するスピーカと；
上記スピーカに接続され、増幅率を変化させる可変増幅回路と；
上記設定手段に設定されている就寝開始時刻になったときに、または、就寝時間帯に上記集合玄関機から呼出信号を受信したときに、上記可変増幅回路の増幅率を低下させる増幅率調整回路と；
を有することを特徴とするインターホンシステム。
【請求項２】
集合住宅の集合玄関に設置されている集合玄関機と、各住戸に設置され、上記集合玄関機からの呼出信号を受信したときに、映像表示手段を起動する住宅情報盤と、上記住宅情報盤と上記集合玄関機とのインターホン通話を制御する制御装置とによって構成されているインターホンシステムにおいて、
上記住宅情報盤は、
就寝開始時刻、就寝終了時刻を設定する設定手段と；
上記設定手段に設定されている就寝開始時刻になったとき、または、就寝時間帯に上記集合玄関機からの呼出信号を受信したときに、上記映像表示手段へ電源供給する時間を、通常時よりも短くするように制御する制御手段と；
を有することを特徴とするインターホンシステム。
【請求項３】
請求項２において、
上記映像表示手段への電源供給を遮断する遮断回路を有することを特徴とするインターホンシステム。
【発明の詳細な説明】
【技術分野】
【０００１】
本発明は、インターホンシステムに関する。
【背景技術】
【０００２】
マンション等の集合住宅には、インターホンシステムが設けられている。このインターホンシステムは、集合玄関に設けられる集合玄関機と、住戸内に設けられ、その集合玄関機からの呼出時に呼出音を発生する住宅情報盤と、住宅情報盤と集合玄関機とのインターホン通話を制御する制御装置によって構成されている（たとえば、特許文献１参照）。
【０００３】
住宅情報盤では、集合玄関機やドアホンから呼出があった場合には、呼出音を必ず出力する。住宅情報盤には、この呼出音を調整するためのボリューム（またはスイッチ）が設けられている。このボリュームを調整することによって、居住者は、最適な呼出音の音量に調整することができる。
【０００４】
また、集合玄関機からの呼出時には、住宅情報盤では、映像を表示するＬＣＤ等のモニタ（表示手段）のバックライトが点灯し、集合玄関に居る訪問者の映像を表示する。
【先行技術文献】
【特許文献】
【０００５】
【特許文献１】特開２０００−１９６７６４号公報
【発明の概要】
【発明が解決しようとする課題】
【０００６】
ところで、夜間、子供が寝ているときに、昼間に発生する呼出音の音量と同じ音量で、住宅情報盤から呼出音が出力されると、子供が目を覚ます場合がある。また、家族全員が就寝している際に、酔った人が誤って集合玄関機から自住戸を呼び出すと、呼出音が鳴るだけではなく、映像を表示するＬＣＤのバックライトに電源が供給され、所定時間、ＬＥＤが点灯し、部屋が明るくなるという問題がある。
【０００７】
また、深夜に働く人等、昼間就寝している人にとっては、昼間に、上記問題が発生する。
【０００８】
本発明は、就寝時に、呼出音がなっても、安眠妨害にならないインターホンシステムを提供することを目的とする。
【課題を解決するための手段】
【０００９】
本発明は、住宅情報盤にタイマを設け、たとえば、２３時になったときに、スピーカの増幅器のゲインを低下させるか無音にする。または、２３時以降であって、集合玄関機からの呼出があったときに、スピーカの増幅器のゲインを低下させるか無音にする。さらに、増幅器のゲイン低下に加えて、表示手段への電源供給を行わないようにする。
【発明の効果】
【００１０】
本発明によれば、就寝時に、呼出音がなっても、安眠妨害にならないという効果を奏する。
【図面の簡単な説明】
【００１１】
【図１】本発明の実施例１であるインターホンシステム１００を示すブロック図である。
【図２】インターホンシステム１００に設けられている住宅情報盤ＪＢ１０１を示す斜視図である。
【図３】住宅情報盤ＪＢ１０１の内部構成を示す図である。
【図４】実施例１において、就寝開始時刻、就寝終了時刻を設定する場合の説明図である。
【発明を実施するための形態】
【００１２】
発明を実施するための形態は、以下の実施例である。
【実施例１】
【００１３】
図１は、本発明の実施例１であるインターホンシステム１００を示すブロック図である。
【００１４】
インターホンシステム１００は、集合住宅の各住戸に設置され、集合玄関機１０からの呼出信号を受信したときに、呼出音を出力する住宅情報盤ＪＢ１０１、…、ＪＢ３０３、…と、集合住宅の集合玄関に設けられている集合玄関機１０と、上記住宅情報盤と集合玄関機１０との間におけるインターホン通話を制御する制御装置２０と、管理室親機３０とを有する。なお、管理室親機３０は、管理室に設けられ、住宅情報盤ＪＢ１０１、…、３０３、…と基本的には同様な機能を有し、制御装置２０に接続されている。
【００１５】
これらの機器は、制御信号線Ｌｃと音声信号線Ｌａと映像信号線Ｌｖとを介して、互いに接続され、また、制御装置２０に接続されている。
【００１６】
１０１号室の住戸用として、住宅情報盤ＪＢ１０１が設けられ、３０３号室の住戸用として、住宅情報盤ＪＢ３０３が設けられている。また、住宅情報盤ＪＢ１０１に、玄関子機Ｃ１０１が接続され、住宅情報盤ＪＢ３０３に、玄関子機Ｃ３０３が接続されている。
【００１７】
図２は、インターホンシステム１００に設けられている住宅情報盤ＪＢ１０１を示す斜視図である。
【００１８】
住宅情報盤ＪＢ１０１の表面には、操作手段４１と、通話釦Ｂ７と、表示手段４２と、注意灯ランプＬＡ１とが設けられている。また、操作手段４１には、メニュー釦Ｂ１と、上移動釦Ｂ２と、下移動釦Ｂ３と、決定釦Ｂ４と、火災釦Ｂ５と、復旧釦Ｂ６とが設けられている。表示手段４２は、後述の映像表示手段６２またはＬＥＤ表示手段６３である。
【００１９】
なお、住宅情報盤ＪＢ１０１以外の住宅情報盤の構成は、住宅情報盤ＪＢ１０１の構成と同様である。
【００２０】
図３は、住宅情報盤ＪＢ１０１の内部構成を示す図である。
【００２１】
住宅情報盤ＪＢ１０１は、スピーカＳＰ１と、マイクＭ１と、制御手段３１と、送受信手段３２と、通話手段３３と、操作手段４１と、設定手段４３と、タイマ４４と、呼出音生成手段５１と、可変増幅回路５２と、増幅率調整回路５３と、電源部６１と、ＬＥＤ表示手段６２と、映像表示手段６３と、スイッチ６４とを有する。
【００２２】
マイクＭ１は、住宅情報盤ＪＢ１０１を使用する居住者の音声を入力し、音声信号を出力する。制御手段３１は、住宅情報盤ＪＢ１０１の全体を制御する。
【００２３】
操作手段４１は、表示手段４２に表示されている内容に応じて、就寝開始時刻、就寝終了時刻等を設定する場合等に使用する。設定手段４３は、就寝開始時刻、就寝終了時刻を設定（記憶）する手段である。タイマ４４は、現在時刻情報を出力する。
【００２４】
スピーカＳＰ１は、呼出音を出力する手段であり、また、集合玄関機１０の前に居る訪問者等の声や、一斉放送の音声を、住宅情報盤ＪＢ１０１を使用する居住者に出力する。呼出音生成手段５１は、制御手段３１による指令に応じてスピーカＳＰ１で発生する呼出音を生成する。可変増幅回路５２は、スピーカＳＰ１に接続され、音声信号の増幅率を変化させる。
【００２５】
増幅率調整回路５３は、設定手段４３に設定されている時刻になったときに、または、上記就寝開始時刻から就寝終了時刻までの時間帯である就寝時間帯に集合玄関機１０から呼出信号を受信したときに、可変増幅回路５２の増幅率を低下させる。
【００２６】
電源部６１は、ＬＥＤ表示手段６２、映像表示手段６３、その他の回路に電源を供給する手段である。ＬＥＤ表示手段６２は、点灯させて、訪問者が呼出したことを示す。映像表示手段６３は、バックライトが点灯し、訪問者の映像を表示する。スイッチ６４は、映像表示手段６３への電源供給を制御する。
【００２７】
制御手段３１は、設定手段４３に設定されている時刻になったとき、または、就寝時間帯に集合玄関機１０からの呼出信号を受信したときに、映像表示手段６３へ電源供給する時間を、通常時よりも短くする。たとえば、通常時、電源供給される時間がたとえば４５秒間なら、これを、たとえば５〜１０秒間に短縮する。なお、通常時よりも短くする場合、０秒にすることも含む。また、制御手段３１は、映像表示手段６３への電源供給を遮断する遮断回路の例である。
【００２８】
なお、住宅情報盤ＪＢ１０１以外の住宅情報盤の内部構成は、住宅情報盤ＪＢ１０１の内部構成と同様である。
【００２９】
次に、実施例１の動作について説明する。まず、実施例１において、就寝開始時刻、就寝終了時刻を設定する動作について説明する。
【００３０】
図４は、実施例１において、就寝開始時刻、就寝終了時刻を設定する場合の説明図である。
【００３１】
Ｓ１で、図４（１）に示すように、表示手段４２に、メニュー画面を表示する。このメニューのうちで、「就寝開始時刻を設定」を選択する。つまり、上下キー（上移動釦Ｂ２、下移動釦Ｂ３）を使用して、「就寝開始時刻を設定」を選択し、決定釦Ｂ４を押す。そして、Ｓ２で、図４（２）に示すように、表示手段４２に、設定する就寝開始時刻の候補を表示し、上下キー（上移動釦Ｂ２、下移動釦Ｂ３）を使用して、たとえば「２４：００」を選択し、決定釦Ｂ４を押す。また、Ｓ３で、図４（３）に示すように、表示手段４２に、設定する就寝終了時刻の候補を表示し、上下キー（上移動釦Ｂ２、下移動釦Ｂ３）を使用して、たとえば「６：００」を選択し、決定釦Ｂ４を押す。これによって、２４：００〜６：００の就寝時間帯が設定手段４３に設定される。
【００３２】
次に、集合玄関に訪問者が来て、集合玄関機１０から住戸の居住者を呼ぶ場合の動作について説明する。
【００３３】
まず、集合玄関機１０に設けられているテンキー（図示せず）等を操作して住戸番号を入力し、呼出釦（図示せず）を押す。これによって、制御信号線Ｌｃを介して、呼出信号が出力され、たとえば、住宅情報盤ＪＢ１０１の送受信手段３２が上記呼出信号を受信する。そして、呼出音生成手段５１が生成した呼出音が、スピーカＳＰ１から出力される。また、同時に映像表示手段６３に電源部６１から電源が供給され、バックライトが点灯し、訪問者の映像が表示される。
【００３４】
この呼出音の音量は、スピーカＳＰ１に接続されている可変増幅回路５２の増幅率を調整する増幅率調整回路５３によって調整される。通常時の時間帯、つまり就寝時間帯でない日中の時間帯であれば、住戸のどの部屋にいても、呼出音の音が聞こえる程度の音量に設定されている。
【００３５】
タイマ４４は、現在の時刻情報を制御手段３１に出力し、制御手段３１が、設定手段４３に登録されている就寝開始時刻になったことを判断すると、増幅率調整回路５３が、可変増幅回路５２の増幅率(ゲイン)を、夜間用の増幅率に調整する。この夜間用の増幅率は、非常に小さな呼出音しか出力しないようにする増幅率である。たとえば、可変増幅回路５２に、増幅レベル３、２、１を設定することができ、昼間には、たとえばレベル３を設定し、就寝時間帯には、たとえば、レベル１に低下させる。また、同時に、映像表示手段６３に接続されている遮断用のスイッチ６４をオフ状態にする。
【００３６】
なお、増幅率を低下させる例の１つとして、無音になる増幅率を設定するようにしてもよい。
【００３７】
この状態で、たとえば、深夜酔った人により、誤って集合玄関機１０から呼出があったとしても、呼出音は、非常に小さな音であるので、住戸の子供が寝ていても、その呼出音によって、目を覚ますことがない。
【００３８】
また、スイッチ６４（遮断回路）がオフするので、映像表示手段６３には電源が供給されず、したがって、映像表示手段６３が点灯することはないので、照明が落とされた室内がバックライトの光によって明るくなり、睡眠が妨げられることもない。
【００３９】
なお、発光量の小さいＬＥＤ表示手段６２だけを、点灯させて、訪問者が呼出したことを示すようにしてもよい。
【００４０】
タイマ４４からの時刻情報により、制御手段３１が設定手段４３に登録された終了時刻になったことを判断すると、遮断回路６４はオン状態になり、また増幅率も通常時の状態に戻される。
【００４１】
なお、上記実施例では、就寝開始時刻になると、可変増幅器５２の増幅率を低下させるが、このようにする代わりに、就寝開始時刻から就寝終了時刻までの就寝時間帯に集合玄関機１０からの呼出信号を受信したときに、増幅率を低下させたり、遮断回路（スイッチ６４）をオフにするようにしてもよい。
【００４２】
また、映像表示手段６３については、通常時であれば、呼出信号が出力されている間、点灯しているが、この点灯時間を、就寝時間帯では、短くするようにしてもよい。
【００４３】
上記実施例１において、表示手段４２の点灯に関しては、映像表示手段６３への電源供給は、通常であれば、たとえば４５秒であるが、夜間時には、たとえば５〜１０秒程度と短くするか、映像表示手段６３への電源供給を行わずに、ＬＥＤ表示手段６２のみを表示することによって、呼出を表示するようにする。
【００４４】
なお、タクシーの運転手等が夜勤明けで日中に寝る場合、この場合にも就寝時間帯を設定して住宅情報盤ＪＢ１０１の呼出音で安眠を妨げられないようにすることが便利である。この場合における「就寝開始時刻」は、通常の場合における午後１１時〜早朝の間の時刻であることは勿論のこと、上記日中に就寝し、明け方に就寝を開始する場合、「就寝開始時刻」は、午前８〜午後２時等である。
【００４５】
また、上記実施例において、就寝時間帯に、静かな音質、優しいメロディー（音階）で呼出音を出力するようにしてもよい。
【００４６】
さらに、就寝時間帯に、映像表示手段６３の輝度を低下させる、つまり、発光量を制限するようにしてもよく、また、映像表示手段６３における発光時間を短縮するようにしてもよい。
【００４７】
なお、就寝時間帯においては、音声と表示との両方を動作させないようにすることが望ましいが、いずれか一方だけを動作させるようにしてもよい。
【００４８】
なお、本実施例では、就眠する際に、就寝の開始時刻と終了時刻とを設定するが、以下のようにしてもよい。
【００４９】
たとえば、設定手段に、簡易的な就寝モードを設けるようにしてもよい。この就寝モードは、就寝モードを設定してから、たとえば、３時間にわたって、自動的に呼出音の音を小さくすると共に、映像表示手段への電源の供給を通常時よりも短くするモードである。
【００５０】
たとえば、住宅情報盤に特別のスイッチを設けることによって、この就寝モードがオンになるようにしてもよく、または、表示手段が表示するメニュー項目の１つに、就寝モードを設け、就寝の開始時刻を選択するのと同様に、就寝モードを選択できるようにしてもよい。
【００５１】
このように就寝モードを設けることによって、夜勤明けなどで疲れて帰宅したときに、この就寝モードを選択すれば、直ちに、３時間にわたって就寝時間帯を設定でき、安眠を妨げられることがなくなる。
【符号の説明】
【００５２】
１００…インターホンシステム、Ｍ１…マイク、３１…制御手段、４１…操作手段、
４２…表示手段、４３…設定手段、４４…タイマ、５１…呼出音生成手段、
５２…可変増幅回路、５３…増幅率調整回路、６２…ＬＥＤ表示手段、
６３…映像表示手段、６４…スイッチ。
【図１】
2010239225.tif 000003
【図２】
2010239225.tif 000004
【図３】
2010239225.tif 000005
【図４】
2010239225.tif 000006